(57)【要約】【課題】インピーダンス変換部の過度の発熱を抑制できる受電機器及び非接触電力伝送装置を提供すること。【解決手段】非接触電力伝送装置１０は、交流電力を出力可能な交流電源１２と、交流電力が入力される１次側コイル１３ａと、１次側コイル１３ａから交流電力を非接触で受電可能な２次側コイル２３ａと、２次側コイル２３ａによって受電された交流電力を整流する整流器２４とを備えている。また、非接触電力伝送装置１０は、整流器２４によって整流された直流電力の電圧値変換を行うＤＣ／ＤＣコンバータ２５と、ＤＣ／ＤＣコンバータ２５によって電圧値変換された直流電力が入力される車両用バッテリ２２とを備えている。【選択図】図１
2015109725.tif 000002
【特許請求の範囲】
【請求項１】
交流電力が入力される１次側コイルを有する送電機器から非接触で前記交流電力を受電可能な受電機器において、
前記１次側コイルに入力される前記交流電力を非接触で受電可能な２次側コイルと、
前記２次側コイルによって受電された交流電力を直流電力に変換するＡＣ／ＤＣ変換部と、
を備え、
前記ＡＣ／ＤＣ変換部は、
第１スイッチング素子を有し、当該第１スイッチング素子が周期的にオンオフすることによりインピーダンス変換を行う第１インピーダンス変換部と、
第２スイッチング素子を有し、当該第２スイッチング素子が周期的にオンオフすることによりインピーダンス変換を行う第２インピーダンス変換部と、
前記第１インピーダンス変換部の温度を測定する測定部と、
を備え、
前記第１インピーダンス変換部と前記第２インピーダンス変換部とは並列に接続されており、
前記第１スイッチング素子が周期的にオンオフしている状況において前記測定部により測定された前記第１インピーダンス変換部の温度が予め定められた閾値温度以上となった場合に、第２スイッチング素子の周期的なオンオフが行われることを特徴とする受電機器。
【請求項２】
前記第１スイッチング素子の周期的なオンオフは、前記測定部により測定された前記第１インピーダンス変換部の温度が前記閾値温度以上となった場合であっても継続される請求項１に記載の受電機器。
【請求項３】
前記第１インピーダンス変換部は、半導体素子を有し、
前記測定部は、前記第１インピーダンス変換部の温度として前記半導体素子の温度を測定する請求項１又は請求項２に記載の受電機器。
【請求項４】
前記閾値温度を第１閾値温度とすると、
前記第１スイッチング素子及び前記第２スイッチング素子の双方が周期的にオンオフしている状況において前記測定部により測定された前記第１インピーダンス変換部の温度が前記第１閾値温度よりも低い第２閾値温度となった場合に、前記第２スイッチング素子の周期的なオンオフが停止する請求項１〜３のうちいずれか一項に記載の受電機器。
【請求項５】
前記ＡＣ／ＤＣ変換部は、
前記２次側コイルによって受電された交流電力を整流する整流部と、
前記整流部によって整流された直流電力が入力されるものであって、前記第１インピーダンス変換部及び前記第２インピーダンス変換部を有するＤＣ／ＤＣコンバータと、
を備え、
前記第１インピーダンス変換部は、前記第１スイッチング素子を有する第１チョッパ回路であり、
前記第２インピーダンス変換部は、前記第２スイッチング素子を有する第２チョッパ回路である請求項１〜４のうちいずれか一項に記載の受電機器。
【請求項６】
交流電力が入力される１次側コイルと、
前記１次側コイルに入力される前記交流電力を非接触で受電可能な２次側コイルと、
前記２次側コイルによって受電された交流電力を直流電力に変換するＡＣ／ＤＣ変換部と、
を備えた非接触電力伝送装置において、
前記ＡＣ／ＤＣ変換部は、
第１スイッチング素子を有し、当該第１スイッチング素子が周期的にオンオフすることによりインピーダンス変換を行う第１インピーダンス変換部と、
第２スイッチング素子を有し、当該第２スイッチング素子が周期的にオンオフすることによりインピーダンス変換を行う第２インピーダンス変換部と、
前記第１インピーダンス変換部の温度を測定する測定部と、
を備え、
前記第１インピーダンス変換部と前記第２インピーダンス変換部とは並列に接続されており、
前記非接触電力伝送装置は、前記第１スイッチング素子及び前記第２スイッチング素子のオンオフ制御を行う制御部を備え、
前記制御部は、前記第１スイッチング素子が周期的にオンオフしている状況において前記測定部により測定された前記第１インピーダンス変換部の温度が予め定められた閾値温度以上となった場合に、第２スイッチング素子を周期的にオンオフさせることを特徴とする非接触電力伝送装置。
【発明の詳細な説明】
【技術分野】
【０００１】
本発明は、受電機器及び非接触電力伝送装置に関する。
【背景技術】
【０００２】
電源コードや送電ケーブルを用いない非接触電力伝送装置として、例えば、交流電力が入力される１次側コイルを有する送電機器と、１次側コイルから非接触で交流電力を受電可能な２次側コイルを有する受電機器とを備えているものが知られている（例えば特許文献１参照）。かかる非接触電力伝送装置においては、例えば１次側コイルと２次側コイルとが磁場共鳴することにより、送電機器から受電機器に非接触で交流電力が伝送される。
【０００３】
また、特許文献１に記載の受電機器は、２次側コイルによって受電された交流電力を直流電力に変換するＡＣ／ＤＣ変換部を備えている。ＡＣ／ＤＣ変換部によって変換された直流電力がバッテリに入力されることにより当該バッテリが充電される。
【先行技術文献】
【特許文献】
【０００４】
【特許文献１】特開２００９−１０６１３６号公報
【発明の概要】
【発明が解決しようとする課題】
【０００５】
ここで、例えばＡＣ／ＤＣ変換部に、スイッチング素子を有するインピーダンス変換部を設け、当該スイッチング素子を周期的にオンオフさせることにより、ＡＣ／ＤＣ変換部の入力インピーダンス等を所望の値にすることが考えられる。この場合、インピーダンス変換部が発熱することが想定される。インピーダンス変換部が過度に発熱すると、ＡＣ／ＤＣ変換部の入力インピーダンス等が所望の値からずれてしまう等といった不都合が生じ得る。
【０００６】
本発明の目的は、上述した事情を鑑みてなされたものであり、インピーダンス変換部の過度の発熱を抑制できる受電機器及び非接触電力伝送装置を提供することである。
【課題を解決するための手段】
【０００７】
上記目的を達成する受電機器は、交流電力が入力される１次側コイルを有する送電機器から非接触で前記交流電力を受電可能なものであって、前記１次側コイルに入力される前記交流電力を非接触で受電可能な２次側コイルと、前記２次側コイルによって受電された交流電力を直流電力に変換するＡＣ／ＤＣ変換部と、を備え、前記ＡＣ／ＤＣ変換部は、第１スイッチング素子を有し、当該第１スイッチング素子が周期的にオンオフすることによりインピーダンス変換を行う第１インピーダンス変換部と、第２スイッチング素子を有し、当該第２スイッチング素子が周期的にオンオフすることによりインピーダンス変換を行う第２インピーダンス変換部と、前記第１インピーダンス変換部の温度を測定する測定部と、を備え、前記第１インピーダンス変換部と前記第２インピーダンス変換部とは並列に接続されており、前記第１スイッチング素子が周期的にオンオフしている状況において前記測定部により測定された前記第１インピーダンス変換部の温度が予め定められた閾値温度以上となった場合に、第２スイッチング素子の周期的なオンオフが行われることを特徴とする。
【０００８】
かかる構成によれば、第１インピーダンス変換部の温度が閾値温度以上となった場合、第２スイッチング素子が周期的にオンオフする。これにより、第２インピーダンス変換部に電流が流れるため、第１インピーダンス変換部に流れる電流値が小さくなる。よって、第１インピーダンス変換部にて発生する発熱量が小さくなるため、第１インピーダンス変換部の過度な発熱を抑制できる。
【０００９】
上記受電機器について、前記第１スイッチング素子の周期的なオンオフは、前記測定部により測定された前記第１インピーダンス変換部の温度が前記閾値温度以上となった場合であっても継続されるとよい。かかる構成によれば、第１インピーダンス変換部の温度が閾値温度以上となった場合であっても、第１スイッチング素子の周期的なオンオフは継続されるため、第１インピーダンス変換部及び第２インピーダンス変換部の双方に電流が流れることとなる。これにより、電流の分散化を図ることができ、各インピーダンス変換部のいずれか一方のみが過度に発熱するといった事態を回避できる。
【００１０】
上記受電機器について、前記第１インピーダンス変換部は、半導体素子を有し、前記測定部は、前記第１インピーダンス変換部の温度として前記半導体素子の温度を測定するとよい。かかる構成によれば、半導体素子の温度に基づいて第２スイッチング素子のオンオフ制御を行うことを通じて、半導体素子の温度が正常に動作できないような温度にならないようにすることができる。なお、半導体素子には、第１スイッチング素子が含まれる。
【００１１】
上記受電機器について、前記閾値温度を第１閾値温度とすると、前記第１スイッチング素子及び前記第２スイッチング素子の双方が周期的にオンオフしている状況において前記測定部により測定された前記第１インピーダンス変換部の温度が前記第１閾値温度よりも低い第２閾値温度となった場合に、前記第２スイッチング素子の周期的なオンオフが停止するとよい。かかる構成によれば、第１インピーダンス変換部の温度が比較的低い場合には、第２スイッチング素子の周期的なオンオフが停止することにより、当該第２スイッチング素子のスイッチング損失分だけ損失を軽減できる。よって、第１インピーダンス変換部の温度が比較的高い状況においては、各スイッチング素子の双方を周期的にオンオフさせることを通じて、第１インピーダンス変換部の温度の上昇を抑制する一方、第１インピーダンス変換部の温度が比較的低い状況においては、第２スイッチング素子の周期的なオンオフを停止させることを通じて、損失の軽減を図ることができる。
【００１２】
上記受電機器について、前記ＡＣ／ＤＣ変換部は、前記２次側コイルによって受電された交流電力を整流する整流部と、前記整流部によって整流された直流電力が入力されるものであって、前記第１インピーダンス変換部及び前記第２インピーダンス変換部を有するＤＣ／ＤＣコンバータと、を備え、前記第１インピーダンス変換部は、前記第１スイッチング素子を有する第１チョッパ回路であり、前記第２インピーダンス変換部は、前記第２スイッチング素子を有する第２チョッパ回路であるとよい。かかる構成によれば、第１チョッパ回路の温度が閾値温度以上となった場合に第２チョッパ回路を動作させることを通じて、第１チョッパ回路が過度に発熱することを抑制できる。
【００１３】
上記目的を達成する非接触電力伝送装置は、交流電力が入力される１次側コイルと、前記１次側コイルに入力される前記交流電力を非接触で受電可能な２次側コイルと、前記２次側コイルによって受電された交流電力を直流電力に変換するＡＣ／ＤＣ変換部と、を備え、前記ＡＣ／ＤＣ変換部は、第１スイッチング素子を有し、当該第１スイッチング素子が周期的にオンオフすることによりインピーダンス変換を行う第１インピーダンス変換部と、第２スイッチング素子を有し、当該第２スイッチング素子が周期的にオンオフすることによりインピーダンス変換を行う第２インピーダンス変換部と、前記第１インピーダンス変換部の温度を測定する測定部と、を備え、前記第１インピーダンス変換部と前記第２インピーダンス変換部とは並列に接続されており、前記非接触電力伝送装置は、前記第１スイッチング素子及び前記第２スイッチング素子のオンオフ制御を行う制御部を備え、前記制御部は、前記第１スイッチング素子が周期的にオンオフしている状況において前記測定部により測定された前記第１インピーダンス変換部の温度が予め定められた閾値温度以上となった場合に、第２スイッチング素子を周期的にオンオフさせることを特徴とする。
【００１４】
かかる構成によれば、第１インピーダンス変換部の温度が閾値温度以上となった場合、第２スイッチング素子が周期的にオンオフする。これにより、第２インピーダンス変換部に電流が流れるため、第１インピーダンス変換部に流れる電流値が小さくなる。よって、第１インピーダンス変換部にて発生する発熱量が小さくなるため、第１インピーダンス変換部の過度な発熱を抑制できる。
【発明の効果】
【００１５】
この発明によれば、インピーダンス変換部の過度の発熱を抑制できる。
【図面の簡単な説明】
【００１６】
【図１】受電機器及び非接触電力伝送装置の回路図。
【図２】ＤＣ／ＤＣコンバータ及びその周辺の回路図。
【図３】受電側コントローラにて実行される温度対応処理を示すフローチャート。
【図４】第１スイッチング素子の温度変化を示すグラフ。
【発明を実施するための形態】
【００１７】
以下、受電機器（受電装置）及び非接触電力伝送装置（非接触電力伝送システム）を車両に適用した一実施形態について説明する。
図１に示すように、非接触電力伝送装置１０は、非接触で電力伝送が可能な送電機器１１（地上側機器、１次側機器）及び受電機器２１（車両側機器、２次側機器）を備えている。送電機器１１は地上に設けられており、受電機器２１は車両に搭載されている。
【００１８】
送電機器１１は、予め定められた周波数の交流電力を出力可能な交流電源１２を備えている。交流電源１２は、インフラとしての系統電源から系統電力が入力された場合に、当該系統電力を交流電力に変換し、その変換された交流電力を出力可能に構成されている。また、交流電源１２は、電力値が異なる複数種類の交流電力を出力可能に構成されている。なお、本実施形態において、交流電源１２は、例えば電圧源である。
【００１９】
交流電源１２から出力された交流電力は、非接触で受電機器２１に伝送され、受電機器２１に設けられた車両用バッテリ２２の充電に用いられる。具体的には、非接触電力伝送装置１０は、送電機器１１及び受電機器２１間の電力伝送を行うものとして、送電機器１１に設けられた送電器１３と、受電機器２１に設けられた受電器２３とを備えている。
【００２０】
送電器１３及び受電器２３は同一の構成となっており、両者は磁場共鳴可能に構成されている。詳細には、送電器１３は、並列に接続された１次側コイル１３ａ及び１次側コンデンサ１３ｂからなる共振回路を有している。受電器２３は、並列に接続された２次側コイル２３ａ及び２次側コンデンサ２３ｂからなる共振回路を有している。両共振回路の共振周波数は同一に設定されている。
【００２１】
また、送電機器１１は、交流電源１２と送電器１３（１次側コイル１３ａ）とを接続する電力線ＥＬ１１，ＥＬ１２を備えている。送電機器１１の第１電力線ＥＬ１１は、交流電源１２の一端と、送電器１３の一方の入力端（１次側コイル１３ａの一端）とを接続している。送電機器１１の第２電力線ＥＬ１２は、交流電源１２の他端と、送電器１３の他方の入力端（１次側コイル１３ａの他端）とを接続している。これにより、交流電源１２から出力された交流電力は送電器１３に入力される。
【００２２】
かかる構成によれば、送電器１３及び受電器２３の相対位置が磁場共鳴可能な位置にある状況において、交流電力が送電器１３（１次側コイル１３ａ）に入力された場合、送電器１３と受電器２３（２次側コイル２３ａ）とが磁場共鳴する。これにより、受電器２３は送電器１３からのエネルギの一部を受け取る。すなわち、受電器２３は、送電器１３から交流電力を受電する。
【００２３】
ちなみに、交流電源１２から出力される交流電力の周波数は、送電器１３及び受電器２３間にて電力伝送が可能となるよう、送電器１３及び受電器２３の共振周波数に対応させて設定されている。例えば、交流電力の周波数は、送電器１３及び受電器２３の共振周波数と同一に設定されている。なお、これに限られず、電力伝送が可能な範囲内で、交流電力の周波数と、送電器１３及び受電器２３の共振周波数とがずれていてもよい。
【００２４】
なお、説明の便宜上、以降の説明においては、送電器１３と受電器２３とは、予め定められた基準位置に配置されており、両者は位置ずれしていないものとする。
受電機器２１は、受電器２３と車両用バッテリ２２とを接続する２つの電力線ＥＬ２１，ＥＬ２２を備えている。受電機器２１の第１電力線ＥＬ２１は、受電器２３の一方の出力端（２次側コイル２３ａの一端）と車両用バッテリ２２の一端を接続している。受電機器２１の第２電力線ＥＬ２２は、受電器２３の他方の出力端（２次側コイル２３ａの他端）と車両用バッテリ２２の他端を接続している。
【００２５】
受電機器２１は、受電器２３によって受電された交流電力（以降単に受電電力ともいう）を直流電力に変換するＡＣ／ＤＣ変換部として、受電電力を整流する整流器（整流部）２４と、整流器２４と車両用バッテリ２２との間に設けられたＤＣ／ＤＣコンバータ２５とを備えている。つまり、本実施形態では、整流器２４とＤＣ／ＤＣコンバータ２５とがＡＣ／ＤＣ変換部を構成している。
【００２６】
ＤＣ／ＤＣコンバータ２５は、整流器２４によって整流された直流電力が入力されるものであって、当該直流電力の電圧値変換を行う。ＤＣ／ＤＣコンバータ２５によって電圧値変換された直流電力（ＡＣ／ＤＣ変換部から出力された直流電力）が車両用バッテリ２２に入力されることによって車両用バッテリ２２が充電される。
【００２７】
送電機器１１は、交流電源１２等の制御を行う送電側コントローラ１４を備えている。送電側コントローラ１４は、交流電源１２のオンオフ制御を行うとともに、交流電源１２から出力される交流電力の電力値を制御する。
【００２８】
受電機器２１は、送電側コントローラ１４と無線通信可能な受電側コントローラ２６を備えている。各コントローラ１４，２６は、互いに情報のやり取りを通じて、電力伝送の開始又は終了等を行う。本実施形態では、受電側コントローラ２６が制御部に対応する。
【００２９】
図１に示すように、非接触電力伝送装置１０は、交流電源１２から車両用バッテリ２２までの間に設けられた複数のインピーダンス変換器３１，３２を備えている。詳細には、非接触電力伝送装置１０は、送電機器１１に設けられた１次側インピーダンス変換器３１と、受電機器２１に設けられた２次側インピーダンス変換器３２（２次側インピーダンス変換部）とを備えている。１次側インピーダンス変換器３１は、交流電源１２と送電器１３との間に設けられており、２次側インピーダンス変換器３２は、受電器２３と整流器２４との間に設けられている。
【００３０】
各インピーダンス変換器３１，３２は、例えばインダクタ及びキャパシタを有するＬＣ回路で構成されている。詳細には、１次側インピーダンス変換器３１は、交流電源１２から送電器１３に向かう２つの電力線ＥＬ１１，ＥＬ１２上に設けられた第１インダクタ３１ａ，３１ｂと、当該第１インダクタ３１ａ，３１ｂに対して後段に設けられ、第１インダクタ３１ａ，３１ｂに対して並列に接続された第１キャパシタ３１ｃと、を有するＬＣ回路である。
【００３１】
２次側インピーダンス変換器３２は、受電器２３から車両用バッテリ２２に向かう２つの電力線ＥＬ２１，ＥＬ２２上に設けられた第２インダクタ３２ａ，３２ｂと、当該第２インダクタ３２ａ，３２ｂに対して前段に設けられ、第２インダクタ３２ａ，３２ｂに対して並列に接続された第２キャパシタ３２ｃと、を有するＬＣ回路である。
【００３２】
ちなみに、本実施形態では、各インピーダンス変換器３１，３２の定数（インピーダンス）は固定値である。なお、定数とは、変換比ともインダクタンスやキャパシタンスとも言える。
【００３３】
ここで、本発明者らは、受電器２３（２次側コイル２３ａ）の出力端から車両用バッテリ２２までのインピーダンスの実部が、送電器１３及び受電器２３間の伝送効率に寄与していることを見出した。具体的には、受電器２３の出力端から車両用バッテリ２２までのインピーダンスの実部には、相対的に他の抵抗値よりも高い伝送効率となる特定抵抗値Ｒｏｕｔが存在することを見出した。
【００３４】
詳細には、仮に送電器１３の入力端に仮想負荷Ｘを設けた場合において、仮想負荷Ｘの抵抗値をＲａとし、受電器２３（詳細には受電器２３の出力端）から仮想負荷Ｘまでの抵抗値をＲｂとすると、特定抵抗値Ｒｏｕｔは√（Ｒａ×Ｒｂ）である。
【００３５】
２次側インピーダンス変換器３２は、上記知見に基づいて、受電器２３の出力端から車両用バッテリ２２までのインピーダンス（２次側インピーダンス変換器３２の入力端のインピーダンス）が特定抵抗値Ｒｏｕｔに近づく（好ましくは一致する）ように、整流器２４の入力端から車両用バッテリ２２までのインピーダンスをインピーダンス変換する。
【００３６】
ここで、交流電源１２から出力される交流電力の電力値は、交流電源１２の出力端から車両用バッテリ２２までのインピーダンス（１次側インピーダンス変換器３１の入力端のインピーダンス）に依存する。
【００３７】
かかる構成において、１次側インピーダンス変換器３１は、交流電源１２から所望の電力値の交流電力が出力されるべく、受電器２３の出力端から車両用バッテリ２２までのインピーダンスが特定抵抗値Ｒｏｕｔに近づいている状況における送電器１３の入力端から車両用バッテリ２２までのインピーダンスをインピーダンス変換する。
【００３８】
例えば、交流電源１２から所望の電力値の交流電力が出力されるための交流電源１２の出力端から車両用バッテリ２２までのインピーダンスを、充電に適した入力インピーダンスＺｔとする。この場合、１次側インピーダンス変換器３１は、交流電源１２の出力端から車両用バッテリ２２までのインピーダンスが上記充電に適した入力インピーダンスＺｔに近づく（好ましくは一致する）ように、送電器１３の入力端から車両用バッテリ２２までのインピーダンスをインピーダンス変換する。
【００３９】
換言すれば、交流電源１２は、交流電源１２の出力端から車両用バッテリ２２までのインピーダンスが上記充電に適した入力インピーダンスＺｔである条件下で、所望の電力値の交流電力を出力可能に構成されているとも言える。
【００４０】
次に、ＤＣ／ＤＣコンバータ２５の詳細な構成について説明する。
図２に示すように、ＤＣ／ＤＣコンバータ２５は、第１スイッチング素子Ｑ１を有する第１チョッパ回路４１と、第２スイッチング素子Ｑ２を有する第２チョッパ回路４２とを備えている。各スイッチング素子Ｑ１，Ｑ２は例えばｎ型のパワーＭＯＳＦＥＴで構成されている。第１チョッパ回路４１が第１インピーダンス変換部に対応し、第２チョッパ回路４２が第２インピーダンス変換部に対応する。
【００４１】
各チョッパ回路４１，４２は、互いに並列に接続されている。詳細には、第１電力線ＥＬ２１は、二又に分岐した第１分岐線ＥＬ２１ａ及び第２分岐線ＥＬ２１ｂを有している。そして、第１チョッパ回路４１は、第１分岐線ＥＬ２１ａ上に設けられ、互いに直列に接続された第１コイルＬ１及び第１ダイオードＤ１を備えている。第１ダイオードＤ１は、順方向に接続されており、詳細にはアノードが第１コイルＬ１の一端に接続されており、カソードがＤＣ／ＤＣコンバータ２５の出力端を介して車両用バッテリ２２の一端に接続されている。
【００４２】
第１チョッパ回路４１の第１スイッチング素子Ｑ１は、第１コイルＬ１及び第１ダイオードＤ１に対して並列に接続されている。第１スイッチング素子Ｑ１のドレインは、第１分岐線ＥＬ２１ａにおける第１コイルＬ１及び第１ダイオードＤ１の接続部分に接続されており、第１スイッチング素子Ｑ１のソースは第２電力線ＥＬ２２に接続されている。
【００４３】
第２チョッパ回路４２は、第２分岐線ＥＬ２１ｂ上に設けられ、互いに直列に接続された第２コイルＬ２及び第２ダイオードＤ２を備えている。第２ダイオードＤ２は、順方向に接続されており、詳細にはアノードが第２コイルＬ２の一端に接続されており、カソードがＤＣ／ＤＣコンバータ２５の出力端を介して車両用バッテリ２２の一端に接続されている。
【００４４】
第２チョッパ回路４２の第２スイッチング素子Ｑ２は、第２コイルＬ２及び第２ダイオードＤ２に対して並列に接続されている。第２スイッチング素子Ｑ２のドレインは、第２分岐線ＥＬ２１ｂにおける第２コイルＬ２及び第２ダイオードＤ２の接続部分に接続されており、第２スイッチング素子Ｑ２のソースは第２電力線ＥＬ２２に接続されている。
【００４５】
また、ＤＣ／ＤＣコンバータ２５は、各チョッパ回路４１，４２の前段に設けられた第１コンデンサＣ１と、各チョッパ回路４１，４２の後段に設けられた第２コンデンサＣ２とを備えている。
【００４６】
かかる構成によれば、第１スイッチング素子Ｑ１及び第２スイッチング素子Ｑ２の少なくとも一方のスイッチング素子が周期的にオンオフ（スイッチング、チョッピング）すると、整流器２４によって整流された直流電力が、車両用バッテリ２２のバッテリ電圧と同一電圧の直流電力に変換される。この場合、ＤＣ／ＤＣコンバータ２５の入力端から車両用バッテリ２２までのインピーダンスである変換インピーダンスＺｑは、スイッチング素子のオンオフのデューティ比に依存する。詳細には、例えば上記スイッチング素子のオンオフのデューティ比が小さくなる（つまり１周期あたりのスイッチング素子のオン時間が短くなる）と、変換インピーダンスＺｑが高くなる。つまり、ＤＣ／ＤＣコンバータ２５は、各スイッチング素子Ｑ１，Ｑ２の少なくとも一方が周期的にオンオフすることにより、変換インピーダンスＺｑが所定の値となるようにインピーダンス変換するものである。なお、変換インピーダンスＺｑは、ＤＣ／ＤＣコンバータ２５の入力インピーダンスとも言える。
【００４７】
ちなみに、ＤＣ／ＤＣコンバータ２５の入力電力値が同一の条件下では、第１スイッチング素子Ｑ１のみが周期的にオンオフしている場合と比較して、各スイッチング素子Ｑ１，Ｑ２の双方が周期的にオンオフしている方が、第１チョッパ回路４１に流れる電流値が小さくなり、且つ、第２チョッパ回路４２に流れる電流値が大きくなる。
【００４８】
ここで、車両用バッテリ２２は、入力される直流電力の電力値に応じてインピーダンスが変動する変動負荷である。このため、交流電源１２から出力される交流電力の電力値が変動した場合、車両用バッテリ２２のインピーダンスは変動する。
【００４９】
これに対して、受電側コントローラ２６は、各スイッチング素子Ｑ１，Ｑ２のオンオフ制御（ゲート電圧の制御）が可能に構成されている。そして、受電側コントローラ２６は、ＤＣ／ＤＣコンバータ２５の入力端から車両用バッテリ２２までのインピーダンスが一定値（特定インピーダンスＺｑｔ）に近づく（好ましくは一致する）ように、車両用バッテリ２２のインピーダンスの変動に応じて各スイッチング素子Ｑ１，Ｑ２の少なくとも一方のオンオフのデューティ比を調整する。なお、各スイッチング素子Ｑ１，Ｑ２の初期状態（周期的にオンオフしていない状態）はオフ状態である。
【００５０】
かかる構成において、２次側インピーダンス変換器３２の定数は、特定インピーダンスＺｑｔに対応させて設定されている。詳細には、２次側インピーダンス変換器３２の定数は、変換インピーダンスＺｑが特定インピーダンスＺｑｔである場合に受電器２３の出力端から車両用バッテリ２２までのインピーダンスが特定抵抗値Ｒｏｕｔとなるように設定されている。
【００５１】
図２に示すように、受電機器２１は、第１チョッパ回路４１の温度を測定する温度センサ４３を備えている。温度センサ４３は、第１チョッパ回路４１の温度として第１スイッチング素子Ｑ１の温度Ｔを測定し、その測定結果を受電側コントローラ２６に送信する。
【００５２】
非接触電力伝送装置１０は、送電器１３と受電器２３とが電力伝送可能な位置に配置されている場合、各コントローラ１４，２６間で情報のやり取りを行いながら、車両用バッテリ２２を充電する充電処理を実行する。
【００５３】
当該充電処理では、送電側コントローラ１４は、予め定められた終了条件が成立する（例えば車両用バッテリ２２の充電状態が満充電状態となる）まで、交流電源１２から交流電力が出力されるよう当該交流電源１２を制御する。これにより、交流電力が送電器１３から受電器２３に伝送され、当該交流電力が整流器２４によって整流され、ＤＣ／ＤＣコンバータ２５に入力される。
【００５４】
受電側コントローラ２６は、ＤＣ／ＤＣコンバータ２５に直流電力が入力されている状況において、第１スイッチング素子Ｑ１の温度Ｔに関わらず、第１スイッチング素子Ｑ１を周期的にオンオフさせて、変換インピーダンスＺｑが特定インピーダンスＺｑｔとなるようにする。
【００５５】
かかる状況（ＤＣ／ＤＣコンバータ２５に直流電力が入力され、且つ、第１スイッチング素子Ｑ１が周期的にオンオフしている状況）において、受電側コントローラ２６は、第１スイッチング素子Ｑ１の温度Ｔに応じて、第２スイッチング素子Ｑ２のスイッチング動作の制御を行う温度対応処理を実行する。温度対応処理は、上記状況において予め定められた周期で実行される。なお、スイッチング動作とは、スイッチング素子が周期的にオンオフしていることを意味する。
【００５６】
ちなみに、ＤＣ／ＤＣコンバータ２５に直流電力が入力されている状況とは、交流電源１２から交流電力が出力されている状況とも言えるし、受電器２３（２次側コイル２３ａ）によって交流電力が受電されている状況とも言える。
【００５７】
図３を用いて温度対応処理について詳細に説明する。
図３に示すように、まずステップＳ１０１では、受電側コントローラ２６は、温度センサ４３の測定結果に基づいて、第１スイッチング素子Ｑ１の温度Ｔを把握する。
【００５８】
その後、ステップＳ１０２では、受電側コントローラ２６は、第２スイッチング素子Ｑ２がスイッチング動作中であるか否かを判定する。詳細には、受電側コントローラ２６は、既に第２スイッチング素子Ｑ２を周期的にオンオフさせているか否かを判定する。
【００５９】
第２スイッチング素子Ｑ２がスイッチング動作中でない場合、第２チョッパ回路４２は動作していないことを意味する。この場合、受電側コントローラ２６は、ステップＳ１０３に進み、ステップＳ１０１にて把握された第１スイッチング素子Ｑ１の温度Ｔが予め定められた第１閾値温度Ｔｔｈ１以上であるか否かを判定する。
【００６０】
第１閾値温度Ｔｔｈ１は、例えば第１チョッパ回路４１が正常に動作する温度の上限値又は当該上限値に対して所定のマージン分だけ低い値に設定されているとよい。詳細には、第１閾値温度Ｔｔｈ１は、例えば第１スイッチング素子Ｑ１の動作保証温度範囲に対応させて設定されているとよく、例えば第１スイッチング素子Ｑ１の動作保証温度範囲の上限値と同一又はそれよりも所定のマージン分だけ低い値に設定されているとよい。
【００６１】
第１スイッチング素子Ｑ１の温度Ｔが第１閾値温度Ｔｔｈ１未満である場合には、そのまま本処理を終了する。一方、第１スイッチング素子Ｑ１の温度Ｔが第１閾値温度Ｔｔｈ１以上である場合には、第１スイッチング素子Ｑ１の温度Ｔが過度に高くなっていることを意味する。この場合、ステップＳ１０４にて、受電側コントローラ２６は、第２スイッチング素子Ｑ２のスイッチング動作を開始させる。詳細には、受電側コントローラ２６は、第２スイッチング素子Ｑ２が周期的にオンオフするように第２スイッチング素子Ｑ２を制御する。
【００６２】
ちなみに、受電側コントローラ２６は、各スイッチング素子Ｑ１，Ｑ２のスイッチング態様（位相、オンオフのデューティ比及び周波数）が同一となるように各スイッチング素子Ｑ１，Ｑ２を制御する。
【００６３】
また、第１スイッチング素子Ｑ１のみがスイッチング動作している場合の第１スイッチング素子Ｑ１のオンオフのデューティ比と、各スイッチング素子Ｑ１，Ｑ２がスイッチング動作している場合の各スイッチング素子Ｑ１，Ｑ２のオンオフのデューティ比とは同一に設定されている。
【００６４】
第２スイッチング素子Ｑ２がスイッチング動作中である場合、既に第２チョッパ回路４２が動作していることを意味する。この場合、受電側コントローラ２６は、ステップＳ１０２を否定判定し、ステップＳ１０５に進む。ステップＳ１０５では、受電側コントローラ２６は、第１スイッチング素子Ｑ１の温度Ｔが、第１閾値温度Ｔｔｈ１よりも低い第２閾値温度Ｔｔｈ２以下となっているか否かを判定する。
【００６５】
受電側コントローラ２６は、第１スイッチング素子Ｑ１の温度Ｔが第２閾値温度Ｔｔｈ２よりも高い場合、そのまま本処理を終了する。この場合、第２スイッチング素子Ｑ２のスイッチング動作は継続される。一方、受電側コントローラ２６は、第１スイッチング素子Ｑ１の温度Ｔが第２閾値温度Ｔｔｈ２以下である場合、ステップＳ１０６に進み、第２スイッチング素子Ｑ２のスイッチング動作を停止させて本処理を終了する。詳細には、受電側コントローラ２６は、第２スイッチング素子Ｑ２がオフ状態となるように制御する。
【００６６】
次に本実施形態の作用について図４を用いて説明する。図４は、第１スイッチング素子Ｑ１の温度Ｔの時間変化を示したグラフである。また、各チョッパ回路４１，４２のうち動作しているチョッパ回路を合わせて示す。
【００６７】
図４に示すように、ｔ０のタイミングにて、交流電源１２から交流電力が出力されると、第１チョッパ回路４１が動作する。詳細には、第１スイッチング素子Ｑ１のスイッチング動作が行われる。これにより、第１スイッチング素子Ｑ１の温度Ｔが上昇する。
【００６８】
その後、ｔ１のタイミングにて、第１スイッチング素子Ｑ１の温度Ｔが第１閾値温度Ｔｔｈ１に到達する。すると、第２スイッチング素子Ｑ２のスイッチング動作が開始される。これにより、第１チョッパ回路４１と第２チョッパ回路４２との双方が動作することとなる。この場合、第１チョッパ回路４１のみが動作していた場合と比較して、第１スイッチング素子Ｑ１に流れる電流値が低減される。よって、第１スイッチング素子Ｑ１の発熱量が低減され、第１スイッチング素子Ｑ１の温度Ｔが低下する。
【００６９】
その後、ｔ２のタイミングで、第１スイッチング素子Ｑ１の温度Ｔが第２閾値温度Ｔｔｈ２に到達すると、第２チョッパ回路４２の動作が停止する。これにより、第１チョッパ回路４１のみが動作することとなる。その後、ｔ３のタイミングにて、再度第１スイッチング素子Ｑ１の温度Ｔが第１閾値温度Ｔｔｈ１となると、第２チョッパ回路４２が動作する。
【００７０】
以上のように、第１スイッチング素子Ｑ１の温度Ｔに対応させて、第２チョッパ回路４２が動作したり停止したりすることにより、第１スイッチング素子Ｑ１の温度Ｔは、第１閾値温度Ｔｔｈ１以下の範囲内で収まっている。
【００７１】
すなわち、本実施形態では、ＤＣ／ＤＣコンバータ２５は、各チョッパ回路４１，４２を用いてインピーダンス変換を行う場合の方が、第１チョッパ回路４１のみを用いてインピーダンス変換を行う場合と比較して、第１チョッパ回路４１に流れる電流値が小さくなるように構成されている。そして、ＤＣ／ＤＣコンバータ２５は、第１チョッパ回路４１を用いてインピーダンス変換を行いつつ、第１スイッチング素子Ｑ１の温度Ｔが第１閾値温度Ｔｔｈ１となった場合には、第１チョッパ回路４１と第２チョッパ回路４２とを用いてインピーダンス変換を行うように構成されている。
【００７２】
以上詳述した本実施形態によれば以下の優れた効果を奏する。
（１）受電機器２１は、送電器１３（１次側コイル１３ａ）から非接触で交流電力を受電可能な受電器２３（２次側コイル２３ａ）と、受電器２３によって受電された交流電力を直流電力に変換するＡＣ／ＤＣ変換部として整流器２４及びＤＣ／ＤＣコンバータ２５とを備えている。ＤＣ／ＤＣコンバータ２５は、第１スイッチング素子Ｑ１を有し、第１スイッチング素子Ｑ１が周期的にオンオフすることによりインピーダンス変換を行う第１チョッパ回路４１と、第２スイッチング素子Ｑ２を有し、第２スイッチング素子Ｑ２が周期的にオンオフすることによりインピーダンス変換を行う第２チョッパ回路４２とを備えている。そして、各チョッパ回路４１，４２は並列に接続されている。かかる構成において、受電機器２１は、第１スイッチング素子Ｑ１の温度Ｔを測定する温度センサ４３を備え、第１スイッチング素子Ｑ１が周期的にオンオフしている状況において第１スイッチング素子Ｑ１の温度Ｔが第１閾値温度Ｔｔｈ１以上となった場合に、第２スイッチング素子Ｑ２が周期的にオンオフするように構成されている。これにより、第２チョッパ回路４２が動作することにより、第１スイッチング素子Ｑ１に流れる電流値が小さくなる。よって、第１スイッチング素子Ｑ１にて発生する発熱量が小さくなるため、第１スイッチング素子Ｑ１の過度な発熱を抑制でき、第１チョッパ回路４１の過度の発熱を抑制できる。
【００７３】
（２）ここで、交流電源１２から出力される交流電力の電力値、つまり受電器２３によって受電される交流電力の電力値が大きくなると、第１スイッチング素子Ｑ１の温度Ｔが高くなるとともに第１コイルＬ１に流れる電流値が大きくなる。第１コイルＬ１に流れる電流値が大きくなると、第１コイルＬ１にて発生する損失が大きくなり易い。特に、例えば第１コイルＬ１がコアに捲回されている構成においては、第１コイルＬ１に流れる電流値が大きくなることによって上記コアにて磁気飽和が発生すると、第１コイルＬ１のインダクタンスが小さくなることに起因して第１コイルＬ１に流れる電流値が過度に大きくなり、損失が過度に大きくなる場合が生じ得る。かといって、第１コイルＬ１として定格が大きな素子を用いることは大型化やコスト等の観点から好ましくない。
【００７４】
これに対して、本実施形態では、例えば交流電源１２から比較的電力値が大きな交流電力が出力されたことに起因して第１スイッチング素子Ｑ１の温度Ｔが第１閾値温度Ｔｔｈ１以上となった場合には、第２チョッパ回路４２が動作する。これにより、第１チョッパ回路４１のみが動作していた場合と比較して、第１コイルＬ１に流れる電流値も小さくなる。よって、交流電源１２から比較的大きな電力値の交流電力が出力された場合であっても、第１スイッチング素子Ｑ１の過度な発熱を抑制できるとともに、第１コイルＬ１にて過度に大きな損失が発生することを抑制できる。
【００７５】
（３）第１チョッパ回路４１は、第１スイッチング素子Ｑ１の温度Ｔが第１閾値温度Ｔｔｈ１以上となった場合でも動作を継続する。詳細には、第１スイッチング素子Ｑ１の周期的なオンオフは、第１スイッチング素子Ｑ１の温度Ｔが第１閾値温度Ｔｔｈ１以上となった場合であっても継続される。換言すれば、第１スイッチング素子Ｑ１は、ＤＣ／ＤＣコンバータ２５に直流電力が入力されている状況において、第１スイッチング素子Ｑ１の温度Ｔに関わらず周期的にオンオフする。これにより、電流の分散化を図ることができ、それを通じて各チョッパ回路４１，４２の一方のみが過度に発熱することを抑制できる。
【００７６】
（４）第１チョッパ回路４１は、半導体素子として、ｎ型のパワーＭＯＳＦＥＴである第１スイッチング素子Ｑ１及び第１ダイオードＤ１を備えており、温度センサ４３は、第１スイッチング素子Ｑ１の温度Ｔを測定する。これにより、例えば第１スイッチング素子Ｑ１の温度Ｔが動作保証温度範囲の上限値を超えないように第２チョッパ回路４２を動作させることができる。
【００７７】
（５）各スイッチング素子Ｑ１，Ｑ２がスイッチング動作している状況において、第１スイッチング素子Ｑ１の温度Ｔが、第１閾値温度Ｔｔｈ１よりも低い第２閾値温度Ｔｔｈ２となった場合には、第２スイッチング素子Ｑ２のスイッチング動作が停止する。これにより、第１スイッチング素子Ｑ１の温度Ｔが比較的低い場合には、第２スイッチング素子Ｑ２のスイッチング動作が停止することにより、当該第２スイッチング素子Ｑ２のスイッチング損失の発生を回避できる。よって、第１スイッチング素子Ｑ１の温度Ｔが比較的高い状況においては、各チョッパ回路４１，４２の双方を動作させることを通じて、第１スイッチング素子Ｑ１の温度Ｔの上昇を抑制する一方、第１スイッチング素子Ｑ１の温度Ｔが比較的低い状況においては、第２チョッパ回路４２の動作を停止させることを通じて、損失の軽減を図ることができる。
【００７８】
（６）車両用バッテリ２２は、入力される直流電力の電力値に応じてインピーダンスが変動する変動負荷である。また、受電機器２１は、受電器２３と整流器２４との間に設けられ、受電器２３の出力端から車両用バッテリ２２までのインピーダンスを所望の値（例えば特定抵抗値Ｒｏｕｔ）に近づける２次側インピーダンス変換器３２を備えている。
【００７９】
かかる構成において、第１スイッチング素子Ｑ１及び第２スイッチング素子Ｑ２の少なくとも一方は、変換インピーダンスＺｑが予め定められた特定インピーダンスＺｑｔとなるように、周期的にオンオフしている。そして、２次側インピーダンス変換器３２の定数は、特定インピーダンスＺｑｔに対応させて設定されている。これにより、仮に交流電源１２から出力される交流電力の電力値が変動することに起因して車両用バッテリ２２の入力電力値が変動し、車両用バッテリ２２のインピーダンスが変動した場合であっても、変換インピーダンスＺｑの変動を抑制できる。よって、変換インピーダンスＺｑの変動に起因して受電器２３の出力端から車両用バッテリ２２までのインピーダンスが特定抵抗値Ｒｏｕｔからずれることを抑制できる。
【００８０】
なお、上記実施形態は以下のように変更してもよい。
○  温度センサ４３の測定対象は、第１スイッチング素子Ｑ１に限られず任意である。例えば、測定対象は、半導体素子としての第１ダイオードＤ１であってもよい。この場合、第１閾値温度Ｔｔｈ１は、第１ダイオードＤ１の動作保証温度範囲の上限値（定格温度）と同一又はそれよりも所定のマージン分だけ低い値に設定するとよい。
【００８１】
○  また、測定対象は、第１スイッチング素子Ｑ１と第１ダイオードＤ１との双方であってもよい。この場合、第１スイッチング素子Ｑ１の温度Ｔ、又は、第１ダイオードＤ１の温度のいずれか一方が第１閾値温度Ｔｔｈ１以上となった場合に、第２チョッパ回路４２を動作させる構成であってもよい。
【００８２】
また、第１スイッチング素子Ｑ１に対応させてスイッチング素子用の閾値温度を設定し、第１ダイオードＤ１に対応させてダイオード用の閾値温度を設定してもよい。この場合、（Ａ）第１スイッチング素子Ｑ１の温度Ｔがスイッチング素子用の閾値温度以上となる、又は、（Ｂ）第１ダイオードＤ１の温度がダイオード用の閾値温度以上となる、のいずれか一方の条件が成立した場合に、第２チョッパ回路４２を動作させる構成でもよい。
【００８３】
○  温度測定対象として第１コイルＬ１を採用してもよい。また、第１スイッチング素子Ｑ１又は第１ダイオードＤ１等にヒートシンク（放熱器）が取り付けられている構成においては、当該ヒートシンクの温度を測定対象としてもよい。
【００８４】
○  また、第１チョッパ回路４１及び第２チョッパ回路４２がそれぞれ個別にパッケージ化（ユニット化）されている場合には、第１チョッパ回路４１のパッケージの温度を測定対象としてもよいし、当該パッケージ内の雰囲気温度を測定対象としてもよい。さらには、ＤＣ／ＤＣコンバータ２５がパッケージ化されている場合には、当該パッケージの温度又はＤＣ／ＤＣコンバータ２５のパッケージ内の雰囲気温度を測定対象としてもよい。要は、測定部は、第１インピーダンス変換部（第１チョッパ回路４１）の発熱の影響を受ける箇所を測定できればよい。
【００８５】
○  第１スイッチング素子Ｑ１の温度Ｔが第１閾値温度Ｔｔｈ１以上となった場合、第１スイッチング素子Ｑ１のスイッチング動作（周期的なオンオフ）が停止する構成であってもよい。詳細には、第１スイッチング素子Ｑ１は、第１スイッチング素子Ｑ１の温度Ｔが第１閾値温度Ｔｔｈ１以上となった場合、オン状態又はオフ状態のいずれか一方となる構成であってもよい。この場合であっても、第２チョッパ回路４２が動作しているため、変換インピーダンスＺｑを特定インピーダンスＺｑｔにすることができる。なお、第１スイッチング素子Ｑ１に流れる電流の損失を考慮すれば、第１スイッチング素子Ｑ１はオフ状態となる方が好ましい。
【００８６】
○  各チョッパ回路４１，４２の具体的な構成は、実施形態のものに限られず任意であり、降圧型、昇圧型のいずれであってもよい。また、各チョッパ回路４１，４２は、スイッチング素子を複数有している構成であってもよい。
【００８７】
○  ＤＣ／ＤＣコンバータ２５は、２つのチョッパ回路４１，４２を有する構成であったが、チョッパ回路の数は任意である。例えばチョッパ回路を３つ以上設けてもよい。
○  各チョッパ回路４１，４２は同一構成であったが、異なっていてもよい。
【００８８】
○  実施形態では、ＤＣ／ＤＣコンバータ２５と整流器２４とがＡＣ／ＤＣ変換部を構成していたが、これに限られない。ＡＣ／ＤＣ変換部は、受電器２３によって受電された交流電力を直流電力に変換するものであって、第１スイッチング素子Ｑ１を有する第１インピーダンス変換部と、第２スイッチング素子Ｑ２を有する第２インピーダンス変換部とを備えていれば、その具体的な構成は任意である。例えば、ＡＣ／ＤＣ変換部は、スイッチング素子を有し、当該スイッチング素子が周期的にオンオフすることにより受電器２３によって受電された交流電力を所望の電圧値の交流電力に変換する交流チョッパ回路を２つ以上有するＡＣ／ＡＣ変換器と、当該ＡＣ／ＡＣ変換器から出力される交流電力を整流する整流器２４とで構成されていてもよい。
【００８９】
○  スイッチング素子Ｑ１，Ｑ２のオンオフ制御を行う制御部は、受電側コントローラ２６に限られず、任意である。例えば送電側コントローラ１４がスイッチング素子Ｑ１，Ｑ２のオンオフ態様を決定し、受電側コントローラ２６に対して指示を出す構成であってもよい。また、各コントローラ１４，２６とは別の専用のコントローラがスイッチング素子Ｑ１，Ｑ２のオンオフ制御を行ってもよい。
【００９０】
○  第１スイッチング素子Ｑ１の温度Ｔは第１閾値温度Ｔｔｈ１を多少超えてもよい。要は、非接触電力伝送装置１０（又は受電機器２１）は、第１スイッチング素子Ｑ１の温度Ｔが第１閾値温度Ｔｔｈ１以上となった場合に、第２スイッチング素子Ｑ２のスイッチング動作を開始させることにより、第１スイッチング素子Ｑ１の温度Ｔの更なる上昇を抑制できるように構成されていればよい。
【００９１】
○  各インピーダンス変換器３１，３２の具体的な回路構成は任意である。例えば、１次側インピーダンス変換器３１は、第１インダクタ３１ｂを省略した逆Ｌ型のＬＣ回路等であってもよいし、２次側インピーダンス変換器３２は、第２インダクタ３２ｂを省略したＬ型のＬＣ回路等であってもよい。また、各インピーダンス変換器３１，３２は、π型、Ｔ型などであってもよい。
【００９２】
○  各インピーダンス変換器３１，３２の定数は可変値であってもよい。この場合、例えば、各コントローラ１４，２６は、送電器１３と受電器２３との相対位置が変動する場合には、当該相対位置の変動に対応させて各インピーダンス変換器３１，３２の定数を可変制御するとよい。これにより、送電器１３と受電器２３との位置ずれに対応できる。
【００９３】
ここで、送電器１３と受電器２３との相対位置の変動と、車両用バッテリ２２のインピーダンスの変動とが発生する場合、２つの変動に対応するべく各インピーダンス変換器３１，３２の定数を可変制御しようとすると、当該可変制御が困難又は煩雑となる。これに対して、車両用バッテリ２２のインピーダンスが変動する場合であっても変換インピーダンスＺｑを一定にすることにより、各インピーダンス変換器３１，３２の定数の可変制御においては、車両用バッテリ２２のインピーダンスの変動を考慮する必要がない。これにより、各インピーダンス変換器３１，３２の定数の可変制御を好適に行うことができる。
【００９４】
○  送電機器１１に設けられる１次側インピーダンス変換器の数及び受電機器２１に設けられる２次側インピーダンス変換器の数は任意であり、例えば２以上であってもよい。
○  各インピーダンス変換器３１，３２の少なくとも一方を省略してもよい。
【００９５】
○  交流電源１２は、電圧源であったが、電力源、電流源であってもよい。
○  交流電源１２が電力源である構成において、各インピーダンス変換器３１，３２は、インピーダンス整合を行うものであってもよい。２次側インピーダンス変換器３２は、受電器２３の出力端から車両用バッテリ２２までのインピーダンスが受電器２３の出力端から交流電源１２までのインピーダンスと整合するように、インピーダンス変換を行うものであってもよい。また、１次側インピーダンス変換器３１は、交流電源１２の出力端から車両用バッテリ２２までのインピーダンスが交流電源１２の出力インピーダンスと整合するように、送電器１３の入力端から車両用バッテリ２２までのインピーダンスをインピーダンス変換するものであってもよい。
【００９６】
○  また、１次側インピーダンス変換器３１は、力率が改善される（リアクタンスが０に近づく）ように、送電器１３の入力端から車両用バッテリ２２までのインピーダンスをインピーダンス変換するものであってもよい。
【００９７】
○  送電器１３の共振周波数と受電器２３の共振周波数とは同一に設定されていたが、これに限られず、電力伝送が可能な範囲内で両者を異ならせてもよい。
○  送電器１３と受電器２３とは同一の構成であったが、これに限られず、異なる構成であってもよい。
【００９８】
○  各コンデンサ１３ｂ，２３ｂを省略してもよい。この場合、各コイル１３ａ，２３ａの寄生容量を用いて磁場共鳴させる。
○  受電機器２１の搭載対象は任意であり、例えばロボットや電動車いす等に搭載されてもよい。
【００９９】
○  実施形態では、１次側コイル１３ａと１次側コンデンサ１３ｂとは並列に接続されていたが、これに限られず、両者は直列に接続されていてもよい。同様に、２次側コイル２３ａと２次側コンデンサ２３ｂとは、直列に接続されていてもよい。
【０１００】
○  実施形態では、非接触の電力伝送を実現させるために磁場共鳴を用いたが、これに限られず、電磁誘導を用いてもよい。
○  実施形態では、受電器２３にて受電された交流電力は車両用バッテリ２２の充電に用いられたが、これに限られず、例えば別の用途に用いてもよい。
【０１０１】
○  送電器１３は、１次側コイル１３ａ及び１次側コンデンサ１３ｂからなる共振回路と、その共振回路と電磁誘導で結合する１次側結合コイルとを有してもよい。同様に、受電器２３は、２次側コイル２３ａ及び２次側コンデンサ２３ｂからなる共振回路と、その共振回路と電磁誘導で結合する２次側結合コイルとを有してもよい。
【０１０２】
次に、上記実施形態及び別例から把握できる好適な一例について以下に記載する。
（イ）前記第１スイッチング素子及び前記第２スイッチング素子の少なくとも一方は、前記ＤＣ／ＤＣコンバータの入力インピーダンスが予め定められた特定インピーダンスとなるように、周期的にオンオフするものであり、前記受電機器は、前記２次側コイルと前記整流部との間に設けられ、インピーダンス変換を行う２次側インピーダンス変換器を備え、当該２次側インピーダンス変換器の定数は、前記特定インピーダンスに対応させて設定されている請求項５に記載の受電機器。
【０１０３】
（ロ）前記ＡＣ／ＤＣ変換部は、当該ＡＣ／ＤＣ変換部に入力される電力値が同一である条件下において、前記第１スイッチング素子のみが周期的にオンオフしている場合と比較して、前記第１スイッチング素子及び前記第２スイッチング素子の双方が周期的にオンオフしている場合の方が、前記第１インピーダンス変換部に流れる電流値が小さくなるように構成されている請求項１〜５及び（イ）のうちいずれか一方に記載の受電機器。
【符号の説明】
【０１０４】
１０…非接触電力伝送装置、１１…送電機器、１２…交流電源、１３ａ…１次側コイル、２１…受電機器、２２…車両用バッテリ、２３ａ…２次側コイル、２４…整流器、２５…ＤＣ／ＤＣコンバータ、４１…第１チョッパ回路（第１インピーダンス変換部）、４２…第２チョッパ回路（第２インピーダンス変換部）、４３…温度センサ（測定部）、Ｑ１…第１スイッチング素子、Ｑ２…第２スイッチング素子、Ｔｔｈ１…第１閾値温度、Ｔｔｈ２…第２閾値温度。
【図１】
2015109725.tif 000003
【図２】
2015109725.tif 000004
【図３】
2015109725.tif 000005
【図４】
2015109725.tif 000006